(57)【要約】【課題】受取人に商品を選択してもらう形態のインターネットショッピングであっても、送り主が贈答品の金額として指定した贈答金額を受取人に知られないインターネットショッピングシステムを提供する。【解決手段】サーバ１０は、出品受付手段１１と、贈答金額及びその口数を取得する贈答金額取得手段１１と、贈答金額に関連付けられるとともに贈答金額を秘匿して直接表示しない金額コードを、送り主の端末１に送信する金額コード発行手段１１と、金額コードが入力されると、抽出された商品の価格は非表示の状態でその他の商品情報を表示させる商品表示手段１１と、商品の選択を受け付け、選択された商品の商品情報を取得する商品選択受付手段１１と、受取人情報を取得する受取人情報取得手段１１と、選択された商品の商品情報と商品を受取人の受取人情報とを関連付けて発注情報として保持する発注情報保持手段１１，１２を備える。【選択図】図３
2014139769.tif 000002
【特許請求の範囲】
【請求項１】
贈答品の送り主の端末と、贈答品の受取人の端末と、商品の出品者の端末と、ショッピングサイトの運営者のサーバがネットワークを介して接続されたインターネットショッピングシステムにおいて、
前記サーバは、
前記ショッピングサイトで出品される商品の名称，価格，画像等からなる商品情報を前記出品者の端末から取得する出品受付手段と、
前記送り主が贈答品の金額として指定した贈答金額及びその口数を前記送り主の端末から取得する贈答金額取得手段と、
前記贈答金額に関連付けられるとともに前記贈答金額を秘匿して直接表示しない金額コードを、前記送り主用に発行する金額コード発行手段と、
前記金額コードが前記受取人の端末から入力されると、前記出品された商品の中から前記金額コードに対応した価格の商品を抽出するとともに、前記抽出された商品の価格は非表示の状態でその他の前記商品情報を前記受取人の端末で表示させる商品表示手段と、
前記抽出された商品の中から前記受取人の端末による商品の選択を受け付け、前記選択された商品の商品情報を取得する商品選択受付手段と、
前記受取人の氏名，住所等からなる受取人情報を前記受取人の端末から取得する受取人情報取得手段と、
前記選択された商品の商品情報と前記商品を選択した受取人の受取人情報とを関連付けて発注情報として保持する発注情報保持手段を備えることを特徴とするインターネットショッピングシステム。
【請求項２】
前記サーバは、
前記商品選択受付手段において前記受取人の端末から商品の選択を一旦受け付けた後、前記金額コードが再度入力された場合にはこれを無効にする金額コード無効手段をさらに備えることを特徴とする請求項１に記載のインターネットショッピングシステム。
【請求項３】
前記サーバは、
前記発注情報を、前記選択された商品を出品している前記出品者の端末に送信する商品発送手段をさらに備えることを特徴とする請求項１又は２に記載のインターネットショッピングシステム。
【請求項４】
前記サーバは、
前記発注情報を、前記選択された商品の在庫管理をしている在庫管理者の端末に送信する商品発送手段をさらに備えることを特徴とする請求項１又は２に記載のインターネットショッピングシステム。
【請求項５】
前記金額コード発行手段において、前記金額コードを前記送り主の端末に電子メールで送信することを特徴とする請求項１乃至４のうちいずれか一つに記載のインターネットショッピングシステム。
【請求項６】
請求項１乃至５に記載のインターネットショッピングシステムにおいて使用されるギフトカードであって、
前記金額コード発行手段において発行される前記金額コードが記載されたことを特徴とするギフトカード。
【請求項７】
表面又は裏面の少なくともいずれか一方が、前記送り主により指定されたデザインの外観であることを特徴とする請求項６に記載のギフトカード。
【請求項８】
贈答品の受取人の端末と、商品の出品者の端末と、ショッピングサイトの運営者のサーバがネットワークを介して接続され、
前記サーバは、
前記ショッピングサイトで出品される商品の名称，価格，画像等からなる商品情報を前記出品者の端末から取得する出品受付手段と、
贈答品の金額として指定される贈答金額に関連付けられるとともに前記贈答金額を秘匿して直接表示しない金額コードが前記受取人の端末から入力されると、前記出品された商品の中から前記金額コードに対応した価格の商品を抽出するとともに、前記抽出された商品の価格は非表示の状態でその他の前記商品情報を前記受取人の端末で表示させる商品表示手段と、
前記抽出された商品の中から前記受取人の端末による商品の選択を受け付け、前記選択された商品の商品情報を取得する商品選択受付手段と、
前記受取人の氏名，住所等からなる受取人情報を前記受取人の端末から取得する受取人情報取得手段と、
前記選択された商品の商品情報と前記商品を選択した受取人の受取人情報とを関連付けて発注情報として保持する発注情報保持手段を備えるインターネットショッピングシステムにおいて使用されるギフトカードであって、
前記金額コードが記載され、現実の店舗において既製品として販売されることを特徴とするギフトカード。
【請求項９】
ポストカード形式であって郵送可能としたことを特徴とする請求項６乃至８のうちいずれか一つに記載のギフトカード。
【請求項１０】
前記金額コードを入力するためのホームページを前記受取人の端末で表示させる識別子又はＮＦＣタグが埋め込まれたことを特徴とする請求項６乃至９のうちいずれか一つに記載のギフトカード。
【請求項１１】
請求項１乃至５に記載のインターネットショッピングシステムにおいて使用されるギフトカードであって、
前記金額コードの情報を含むとともに、前記受取人の端末では前記金額コードを表示することなく前記受取人の端末に前記金額コードの情報を前記サーバへ送信させる識別子又はＮＦＣタグが埋め込まれたことを特徴とするギフトカード。
【請求項１２】
贈答品の受取人の端末と、商品の出品者の端末と、ショッピングサイトの運営者のサーバがネットワークを介して接続され、
前記サーバは、
前記ショッピングサイトで出品される商品の名称，価格，画像等からなる商品情報を前記出品者の端末から取得する出品受付手段と、
贈答品の金額として指定される贈答金額に関連付けられるとともに前記贈答金額を秘匿して直接表示しない金額コードが前記受取人の端末から入力されると、前記出品された商品の中から前記金額コードに対応した価格の商品を抽出するとともに、前記抽出された商品の価格は非表示の状態でその他の前記商品情報を前記受取人の端末で表示させる商品表示手段と、
前記抽出された商品の中から前記受取人の端末による商品の選択を受け付け、前記選択された商品の商品情報を取得する商品選択受付手段と、
前記受取人の氏名，住所等からなる受取人情報を前記受取人の端末から取得する受取人情報取得手段と、
前記選択された商品の商品情報と前記商品を選択した受取人の受取人情報とを関連付けて発注情報として保持する発注情報保持手段を備えるインターネットショッピングシステムにおいて使用されるギフトカードであって、
前記金額コードの情報を含むとともに、前記受取人の端末では前記金額コードを表示することなく前記受取人の端末に前記金額コードの情報を前記サーバへ送信させる識別子又はＮＦＣタグが埋め込まれ、現実の店舗において既製品として販売されることを特徴とするギフトカード。
【発明の詳細な説明】
【技術分野】
【０００１】
本発明は、贈答品の送り主の端末と、贈答品の受取人の端末と、商品の出品者の端末と、ショッピングサイトの運営者のサーバがネットワークを介して接続されたネットショッピングシステム及びそれに使用されるギフトカードに関するものである。
【背景技術】
【０００２】
近年、一般家庭にもパソコンの普及が進み、それに伴い、インターネットショッピングも広く利用されている。
このインターネットショッピングには、例えば入学祝いや引き出物等の贈答品を送る場合に、送り主がショッピングサイト上で商品を購入して、ショッピングサイトの運営者等の下から送り主を経由させずに贈答品の受取人の自宅等に直接贈答品を発送できるサービスもある。
【０００３】
しかし、その贈答品が受取人の趣味に合わなかったり、受取人が既にその贈答品と同じ物を持っていたりすることがあるので、送り主が心を込めて選んだ贈答品であっても確実に受取人に喜んでもらえるとは限らない。
このような事態を避けるために、贈答品の送り主が事前にショッピングサイトの運営者に所定の金額を支払っておき、贈答品の受取人がその金額分の商品をショッピングサイトにある全商品の中から選択するというインターネットショッピングの形態もある（例えば、非特許文献１参照）。
【先行技術文献】
【非特許文献】
【０００４】
【非特許文献１】アマゾンジャパン株式会社、"Ａｍａｚｏｎギフト券"、［ｏｎｌｉｎｅ］、［平成２４年９月１０日検索］、インターネット〈ＵＲＬ：ｈｔｔｐ：／／ｗｗｗ．ａｍａｚｏｎ．ｃｏ．ｊｐ／ｇｐ／ｇｃ〉
【発明の概要】
【発明が解決しようとする課題】
【０００５】
しかしながら、贈答品の受取人が好みに合う商品を自ら選ぶこのようなインターネットショッピングでは、確実に受取人に喜んでもらえるが、一方で送り主が贈答品の金額として指定した贈答金額を受取人に知られてしまうので、送り主の中にはそれを快く思わない人も多いという問題もある。
【０００６】
そこで、本発明の目的とするところは、受取人に商品を選択してもらう形態のインターネットショッピングであっても、送り主が贈答品の金額として指定した贈答金額を受取人に知られないインターネットショッピングシステム及びそれに使用されるギフトカードを提供することにある。
【課題を解決するための手段】
【０００７】
上記の目的を達成するために、本発明の請求項１に記載のインターネットショッピングシステムは、贈答品の送り主の端末（１）と、贈答品の受取人の端末（２）と、商品の出品者の端末（３）と、ショッピングサイトの運営者のサーバ（１０）がネットワーク（１００）を介して接続されたネットショッピングシステムにおいて、前記サーバ（１０）は、前記ショッピングサイトで出品される商品の名称，価格，画像等からなる商品情報を前記出品者の端末（３）から取得する出品受付手段（１１）と、前記送り主が贈答品の金額として指定した贈答金額及びその口数を前記送り主の端末（１）から取得する贈答金額取得手段（１１）と、前記贈答金額に関連付けられるとともに前記贈答金額を秘匿して直接表示しない金額コードを、前記送り主用に発行する金額コード発行手段（１１）と、前記金額コードが前記受取人の端末（２）から入力されると、前記出品された商品の中から前記金額コードに対応した価格の商品を抽出するとともに、前記抽出された商品の価格は非表示の状態でその他の前記商品情報を前記受取人の端末（２）で表示させる商品表示手段（１１）と、前記抽出された商品の中から前記受取人の端末（２）による商品の選択を受け付け、前記選択された商品の商品情報を取得する商品選択受付手段（１１）と、前記受取人の氏名，住所等からなる受取人情報を前記受取人の端末（２）から取得する受取人情報取得手段（１１）と、前記選択された商品の商品情報と前記商品を選択した受取人の受取人情報とを関連付けて発注情報として保持する発注情報保持手段（１１，１２）を備えることを特徴とする。
【０００８】
また、請求項２に記載のインターネットショッピングシステムは、前記サーバ（１０）は、前記商品選択受付手段において前記受取人の端末（２）から商品の選択を一旦受け付けた後、前記金額コードが再度入力された場合にはこれを無効にする金額コード無効手段（１１）をさらに備えることを特徴とする。
【０００９】
また、請求項３に記載のインターネットショッピングシステムは、前記サーバ（１０）は、前記発注情報を、前記選択された商品を出品している前記出品者の端末（３）に送信する商品発送手段（１１）をさらに備えることを特徴とする。
【００１０】
また、請求項４に記載のインターネットショッピングシステムは、前記サーバ（１０）は、前記発注情報を、前記選択された商品の在庫管理をしている在庫管理者の端末に送信する商品発送手段（１１）をさらに備える。
【００１１】
また、請求項５に記載のインターネットショッピングシステムは、前記金額コード発行手段（１１）において、前記金額コードを前記送り主の端末（１）に電子メールで送信することを特徴とする。
【００１２】
また、請求項６に記載のギフトカード（２０）は、前記金額コード発行手段（１１）において発行される前記金額コードが記載されたことを特徴とする。
【００１３】
また、請求項７に記載のギフトカード（２０）は、表面又は裏面の少なくともいずれか一方が、前記送り主により指定されたデザインの外観であることを特徴とする。
【００１４】
また、請求項８に記載のギフトカード（２０）は、贈答品の受取人の端末（２）と、商品の出品者の端末（３）と、ショッピングサイトの運営者のサーバ（１０）がネットワーク（１００）を介して接続され、前記サーバ（１０）は、前記ショッピングサイトで出品される商品の名称，価格，画像等からなる商品情報を前記出品者の端末（３）から取得する出品受付手段と、贈答品の金額として指定される贈答金額に関連付けられるとともに前記贈答金額を秘匿して直接表示しない金額コードが前記受取人の端末（２）から入力されると、前記出品された商品の中から前記金額コードに対応した価格の商品を抽出するとともに、前記抽出された商品の価格は非表示の状態でその他の前記商品情報を前記受取人の端末（２）で表示させる商品表示手段（１１）と、前記抽出された商品の中から前記受取人の端末（２）による商品の選択を受け付け、前記選択された商品の商品情報を取得する商品選択受付手段（１１）と、前記受取人の氏名，住所等からなる受取人情報を前記受取人の端末（２）から取得する受取人情報取得手段（１１）と、前記選択された商品の商品情報と前記商品を選択した受取人の受取人情報とを関連付けて発注情報として保持する発注情報保持手段（１２）を備えるインターネットショッピングシステムにおいて使用されるギフトカード（２０）であって、前記金額コードが記載され、現実の店舗において既製品として販売されることを特徴とする。
【００１５】
また、請求項９に記載のギフトカード（２０）は、ポストカード形式であって郵送可能としたことを特徴とする。
【００１６】
また、請求項１０に記載のギフトカード（２０）は、前記金額コードを入力するためのホームページを前記受取人の端末（２）で表示させる識別子又はＮＦＣタグ（２３）が埋め込まれたことを特徴とする。
【００１７】
また、請求項１１に記載のギフトカード（２０）は、前記金額コードの情報を含むとともに、前記受取人の端末（２）では前記金額コードを表示することなく前記受取人の端末（２）に前記金額コードの情報を前記サーバ（１０）へ送信させる識別子又はＮＦＣタグ（２３）が埋め込まれたことを特徴とする。
【００１８】
また、請求項１２に記載のギフトカード（２０）は、贈答品の受取人の端末（２）と、商品の出品者の端末（３）と、ショッピングサイトの運営者のサーバ（１０）がネットワークを介して接続され、前記サーバ（１０）は、前記ショッピングサイトで出品される商品の名称，価格，画像等からなる商品情報を前記出品者の端末（３）から取得する出品受付手段（１１）と、贈答品の金額として指定される贈答金額に関連付けられるとともに前記贈答金額を秘匿して直接表示しない金額コードが前記受取人の端末（２）から入力されると、前記出品された商品の中から前記金額コードに対応した価格の商品を抽出するとともに、前記抽出された商品の価格は非表示の状態でその他の前記商品情報を前記受取人の端末（２）で表示させる商品表示手段（１１）と、前記抽出された商品の中から前記受取人の端末（２）による商品の選択を受け付け、前記選択された商品の商品情報を取得する商品選択受付手段（１１）と、前記受取人の氏名，住所等からなる受取人情報を前記受取人の端末（２）から取得する受取人情報取得手段（１１）と、前記選択された商品の商品情報と前記商品を選択した受取人の受取人情報とを関連付けて発注情報として保持する発注情報保持手段（１２）を備えるインターネットショッピングシステムにおいて使用されるギフトカード（２０）であって、前記金額コードの情報を含むとともに、前記受取人の端末（２）では前記金額コードを表示することなく前記受取人の端末（２）に前記金額コードの情報を前記サーバ（１０）へ送信させる識別子又はＮＦＣタグ（２３）が埋め込まれ、現実の店舗において既製品として販売されることを特徴とする。
【００１９】
ここで、上記括弧内の記号は、図面および後述する発明を実施するための形態に掲載された対応要素または対応事項を示す。
【発明の効果】
【００２０】
本発明の請求項１に記載のインターネットショッピングシステムによれば、受取人の端末から、贈答金額を秘匿して直接表示しない金額コードが入力されると、出品された商品の中から金額コードに対応した価格の商品を抽出するとともに、抽出された商品の価格は非表示の状態でその他の商品情報を受取人の端末で表示させるので、送り主がショッピングサイトの運営者に贈答金額を支払い、その後で受取人に複数の商品の中から自分の好みに合う商品を選択してもらう形態のインターネットショッピングであっても、贈答金額がいくらであるかを受取人に知られずに済む。
【００２１】
また、請求項２に記載のインターネットショッピングシステムによれば、請求項１に記載の発明の作用効果に加え、サーバは、受取人の端末から商品の選択を一旦受け付けた後、金額コードが再度入力された場合にはこれを無効にするので、受取人が故意又は過失で再度同じ金額コードを入力しても贈答金額以上の買い物ができない。よって、送り主がショッピングサイトの運営者から二重に代金を請求されたり、運営者が二重に商品を発送したりといった損害が発生しない。
【００２２】
また、請求項３に記載のインターネットショッピングシステムによれば、請求項１又は２に記載の発明の作用効果に加え、サーバは、発注情報を、選択された商品を出品している出品者の端末に送信するので、ショッピングサイトの運営者が直接商品の発送を行わなくて済み、また運営者が商品の在庫を抱えずに済む。
【００２３】
また、請求項４に記載のインターネットショッピングシステムによれば、請求項１又は２に記載の発明の作用効果に加え、サーバは、発注情報を、選択された商品の在庫管理をしている在庫管理者の端末に送信するので、ショッピングサイトの運営者が直接商品の発送を行わなくて済む。また、商品を在庫管理者から直接受取人に発送することができるので、受取人が商品を選択してから商品を実際に受け取るまでの日数が短縮される。
【００２４】
また、請求項５に記載のインターネットショッピングシステムによれば、請求項１乃至４に記載の発明の作用効果に加え、金額コードを送り主の端末に電子メールで送信するので、金額コードを紛失する可能性が低く、また受取人が早く金額コードを手にすることができる。
【００２５】
また、請求項６に記載のギフトカードによれば、金額コードが記載されているので、そのギフトカードを送り主から受取人へ手渡ししたり、例えば請求項９に記載の発明のようにポストカードとして郵送したりすることで、インターネットショッピングシステムであっても送り主が受取人と直接やりとりでき、心のこもった贈り物となる。
【００２６】
また、請求項７に記載のギフトカードによれば、表面又は裏面の少なくともいずれか一方が、送り主により指定されたデザインの外観であるので、送り主の気持ちを受取人にさらに伝えることができる。
【００２７】
また、請求項８に記載のギフトカードによれば、受取人の端末から、贈答金額を秘匿して直接表示しない金額コードが入力されると、出品された商品の中から金額コードに対応した価格の商品を抽出するとともに、抽出された商品の価格は非表示の状態でその他の商品情報を受取人の端末で表示させるので、現実の店舗において既製品として販売されるギフトカードを受取人に送った場合であっても、ギフトカードに記載されている金額コードを入力することで、贈答金額がいくらであるかを受取人に知られずに済む。
また、そのギフトカードは現実の店舗で既製品として販売されているので、パソコンの操作が苦手な送り主であっても気軽にこのインターネットショッピングシステムを利用することができる。
【００２８】
また、請求項１０に記載のギフトカードによれば、金額コードを入力するためのホームページを受取人の端末で表示させる識別子又はＮＦＣタグが埋め込まれたので、受取人の端末がその識別子リーダーやＮＦＣタグリーダーの機能を有していれば、金額コードの入力に手間が掛からない。
【００２９】
また、請求項１１に記載のギフトカードによれば、金額コードの情報を含むとともに、受取人の端末では金額コードを表示することなく受取人の端末に金額コードの情報をサーバへ送信させる識別子又はＮＦＣタグが埋め込まれたので、受取人の端末がその識別子リーダーやＮＦＣタグリーダーの機能を有していれば、ＮＦＣタグ等を読み取らせるだけで商品表示手段によって商品情報が受取人の端末で表示される。よって、受取人の手間は非常に少ない。
【００３０】
また、請求項１２に記載のギフトカードによれば、受取人の端末から、贈答金額を秘匿して直接表示しない金額コードが入力されると、出品された商品の中から金額コードに対応した価格の商品を抽出するとともに、抽出された商品の価格は非表示の状態でその他の商品情報を受取人の端末で表示させるので、現実の店舗において既製品として販売されるギフトカードを受取人に送った場合であっても、ギフトカードに記載されている金額コードを入力することで、贈答金額がいくらであるかを受取人に知られずに済む。
また、そのギフトカードは現実の店舗で既製品として販売されているので、パソコンの操作が苦手な送り主であっても気軽にこのインターネットショッピングシステムを利用することができる。
しかも、金額コードの情報を含むとともに、受取人の端末では金額コードを表示することなく受取人の端末に金額コードの情報をサーバへ送信させる識別子又はＮＦＣタグが埋め込まれたので、受取人の端末がその識別子リーダーやＮＦＣタグリーダーの機能を有していれば、ＮＦＣタグ等を読み取らせるだけで商品表示手段によって商品情報が受取人の端末で表示される。よって、受取人の手間は非常に少ない。
【００３１】
なお、本発明のインターネットショッピングシステム及びそれに使用されるギフトカードのように、商品の価格は非表示の状態でその他の商品情報を受取人の端末で表示させる点は、上述した非特許文献１には全く記載されていない。
【図面の簡単な説明】
【００３２】
【図１】本発明の第一実施形態に係るインターネットショッピングシステムの通信構成を示すブロック図である。
【図２】本発明の第一実施形態に係るインターネットショッピングシステムにおけるサーバの電気的構成概要を示すブロック図である。
【図３】本発明の第一実施形態に係るインターネットショッピングシステムにおけるサーバの制御部の処理を示すフローチャートである。
【図４】本発明の第二実施形態に係るインターネットショッピングシステムにおけるサーバの制御部の処理を示すフローチャートである。
【図５】本発明の第三実施形態に係るインターネットショッピングシステムで使用されるギフトカードを示す平面図である。
【図６】本発明の第三実施形態に係るインターネットショッピングシステムにおけるサーバの制御部の処理を示すフローチャートである。
【図７】本発明の第四実施形態に係るインターネットショッピングシステムの通信構成を示すブロック図である。
【図８】本発明の第四実施形態に係るインターネットショッピングシステムにおけるサーバの制御部の処理を示すフローチャートである。
【図９】本発明の他の実施形態に係るインターネットショッピングシステムで使用されるギフトカードを示す平面図である。
【図１０】本発明のさらに他の実施形態に係るインターネットショッピングシステムで使用されるギフトカードを示す平面図である。
【発明を実施するための形態】
【００３３】
（第一実施形態）
図１乃至図３を参照して、本発明の第一実施形態に係るインターネットショッピングシステムを説明する。
このインターネットショッピングシステムは、贈答品の送り主の端末１と、贈答品の受取人の端末２と、商品の出品者の端末３と、ショッピングサイト（仮想ショッピングモール）の運営者のサーバ１０がインターネット１００を介して接続される。
そして、贈答品の送り主が事前にショッピングサイトの運営者に所定の金額を支払っておき、贈答品の受取人がその金額分の商品をショッピングサイトにある全商品の中から選択するものである。
特に、このインターネットショッピングシステムは入学祝い、卒業祝い、中元、歳暮、引き出物、香典返し等の贈答品を送る際に利用される。
【００３４】
送り主の端末１、受取人の端末２、及び出品者の端末３は、家庭や企業に広く普及している一般的なパソコンである。ウェブブラウザを使用してショッピングサイトにアクセス可能な性能を有していれば、それらの端末１，２，３はどのような性能のものであってもよい。
出品者は複数存在し、事前に運営者によってショッピングサイト上に出品（出店）可能かどうかの審査が行われる。
もちろん、送り主及び受取人も複数存在する。
【００３５】
運営者のサーバ１０は、図２に示すように制御部１１と、記憶部１２と、出力用のディスプレイ等からなる出力部１３と、入力用のキーボードやマウス等からなる入力部１４を備えている。
制御部１１は、記憶部１２に記憶された制御プログラムに従ってシステム全体を制御するものであり、ＣＰＵからなる。
記憶部１２は、ＲＯＭやＲＡＭといった記憶媒体からなる。ＲＯＭには、システム全体を制御する制御プログラム等が記憶される。ＲＡＭには商品情報、発行された金額コード、送り主情報、受取人情報、発注情報等が記憶される。
なお、記憶部１２として、ＨＤＤ等の他の記憶媒体が、主に又は補助的に用いられてもよい。
【００３６】
以上のように構成されたインターネットショッピングシステムにおける、サーバ１０の制御部１１が行う制御について、図３に示すフローチャートを参照して説明する。
まず、サーバ１０の電源を入れた後、システムの初期化を行う（ステップＳ１０１（以下、「ステップ」という語を省略する））。
【００３７】
次に、出品者がどの商品をショッピングサイトで出品するかを決めると、その商品の名称，価格，画像、個数等からなる商品情報を出品者の端末３からショッピングサイトの運営者のサーバ１０に送信する。制御部１１はその商品情報を出品者の端末３から取得し記憶部１２に記憶させる（Ｓ１０２）。
【００３８】
次に、送り主の端末１で贈答品の金額として送る贈答金額とその口数を指定すると、制御部１１は、贈答金額及び口数を送り主の端末１から取得し記憶部１２に記憶させる（Ｓ１０３）。この料金は例えばクレジットカードによって決済される。
【００３９】
次に、制御部１１は、贈答金額に関連付けられるとともに贈答金額を秘匿して直接表示しない金額コードを発行し、送り主の端末１にその金額コードを電子メールで送信する（Ｓ１０４）。又は、制御部１１がこの金額コードを送り主の端末１のウェブブラウザ上で表示させてもよい。一人の送り主が複数の口数の金額コードを購入する場合、それらの贈答金額が互いに同じであっても、互いに異なる金額コードが口数と同じ数だけサーバ１０により用意されることが望ましい。
【００４０】
ここで金額コードは、例えば「ＱＷＥＲＴＹＵＩ」や「ＡＳＤＦＧＨＪＫ」といったアルファベット（アルファベットと数字が混在していてもよい）をランダムに並べたものであり、贈答金額が３０００円であったとしても金額コードの文字列を人間が見てもこれが３０００円を意味するものとは理解できないものである。
この金額コードはその都度制御部１１が作成して贈答金額に関連付けてもよいし、事前に金額コードと贈答金額が関連付けられた対応表を記憶部１２に記憶させておき記憶部１２から金額コードを読み出してもよい。
【００４１】
次に、送り主の端末１がサーバ１０から金額コードを受け取ると、電子メールや手紙等の何らかの方法（デジタル、アナログを問わない）によって送り主から受取人に対して金額コードが知らされる。
【００４２】
そして、ショッピングサイト上で受取人の端末２から金額コードが入力されるまで待つ。
ここで、金額コードがサーバ１０によって発行されてから例えば６ヶ月以内に受取人の端末２によって金額コードを入力しなければいけないといった入力期限を設けることもできる。
【００４３】
次に、受取人の端末２において、受け取った金額コードが入力されると（Ｓ１０５）、制御部１１は、出品された商品の中から金額コードに対応した価格の商品を抽出するとともに、抽出された商品の価格は非表示の状態でその他の商品情報を受取人の端末２で表示させる（Ｓ１０６）。
つまり、受取人の端末２では金額コードに係る額と同じ価格帯の商品が一覧で表示され、商品の名称やその画像、機能の説明は表示されるが、受取人の端末２ではその商品の価格は表示されない。もちろん、受取人の端末２でどのような操作を行っても価格が表示されることはない。
【００４４】
そして、制御部１１は、抽出された商品の中から受取人の端末２による商品の選択を受け付け、受取人により選択された商品の商品情報を記憶部１２の中から取得する（Ｓ１０７）。
【００４５】
次に、制御部１１は、受取人の氏名，住所等からなる受取人情報を受取人の端末２から入力させて、取得する（Ｓ１０８）。
【００４６】
最後に、制御部１１は、受取人に選択された商品の商品情報と、商品を選択した受取人の受取人情報とを関連付けて発注情報として保持する（Ｓ１０９）。
この発注情報に基づいて商品の発送の準備が行われる。
【００４７】
以上のように構成及び制御されたインターネットショッピングシステムによれば、受取人の端末２から、贈答金額を秘匿して直接表示しない金額コードが入力されると、出品された商品の中から金額コードに対応した価格の商品を抽出するとともに、抽出された商品の価格は非表示の状態でその他の商品情報を受取人の端末２で表示させるので、送り主がショッピングサイトの運営者に贈答金額を支払い、その後で受取人に複数の商品の中から自分の好みに合う商品を選択してもらう形態のインターネットショッピングであっても、贈答金額がいくらであるかを受取人に知られずに済む。
また、金額コードを送り主の端末１に電子メールで送信するので、金額コードを紛失する可能性が低く、また受取人が早く金額コードを手にすることができる。
【００４８】
（第二実施形態）
次に図４を参照して、本発明の第二実施形態に係るインターネットショッピングシステムを説明する。なお、第一実施形態と同一部分には同一符号を付した。
本実施形態の第一実施形態との違いは、商品選択を受け付けた後の金額コードの扱いであり、その他の構成要素に関しては第一実施形態と同一である。
【００４９】
本実施形態に係るサーバ１０の制御部１１が行う制御について、図４に示すフローチャートを参照して説明する。
まず、サーバ１０の電源を入れた後、システムの初期化を行う（Ｓ１０１）。
次に、制御部１１はその商品情報を出品者の端末３から取得し記憶部１２に記憶させる（Ｓ１０２）。
【００５０】
次に、送り主の端末１で贈答品の金額として送る贈答金額とその口数を指定すると、制御部１１は、贈答金額及び口数を送り主の端末１から取得し記憶部１２に記憶させる（Ｓ１０３）。
【００５１】
次に、制御部１１は金額コードを送り主の端末１に送信する（Ｓ１０４）。このとき、制御部１１は有効情報を「Ｔｒｕｅ」とする（この金額コードは有効とする）とともに、これを金額コードに関連付けて記憶部１２に記憶させる。
【００５２】
そして、受取人の端末２から金額コードが入力されると（Ｓ１０５）、制御部１１は記憶部１２から有効情報を読み出して、その金額コードが有効か否かの判断をする（Ｓ１１０）。
有効情報が「Ｆａｌｓｅ」であれば、制御部１１は、金額コードが無効であるとしてそれ以降の商品情報の表示等を行わない。つまり有効情報が「Ｆａｌｓｅ」であるのは、受取人の端末２から商品の選択を一旦受け付けた後、同一の金額コードが再度入力された場合である。
【００５３】
Ｓ１１０において有効情報が「Ｔｒｕｅ」であれば（金額コードが有効であれば）、制御部１１は、出品された商品の中から金額コードに対応した価格の商品を抽出するとともに、抽出された商品の価格は非表示の状態でその他の商品情報を受取人の端末２で表示させる（Ｓ１０６）。
【００５４】
次に、制御部１１は抽出された商品の中から受取人の端末２による商品の選択を受け付け、選択された商品の商品情報を取得する（Ｓ１０７）。
そして、制御部１１はこの金額コードに係る有効情報を「Ｔｒｕｅ」から「Ｆａｌｓｅ」に書き換えて記憶部１２に記憶させる（Ｓ１１１）。
【００５５】
次に、制御部１１は、受取人の氏名，住所等からなる受取人情報を受取人の端末２から入力させて、取得する（Ｓ１０８）。
【００５６】
最後に、制御部１１は、選択された商品の商品情報と商品を選択した受取人の受取人情報とを関連付けて発注情報として保持する（Ｓ１０９）。
【００５７】
以上のように構成及び制御されたインターネットショッピングシステムによれば、サーバ１０は、受取人の端末２から商品の選択を一旦受け付けた後、金額コードが再度入力された場合にはこれを無効にするので、受取人が故意又は過失で再度同じ金額コードを入力しても贈答金額以上の買い物ができない。よって、送り主がショッピングサイトの運営者から二重に代金を請求されたり、運営者が二重に商品を発送したりといった損害が発生しない。
【００５８】
（第三実施形態）
次に図５及び６を参照して、本発明の第三実施形態に係るインターネットショッピングシステム及びそれに使用されるギフトカードを説明する。なお、第一実施形態と同一部分には同一符号を付した。
本実施形態の第一実施形態との違いは、商品選択を受け付けた後の金額コードの発行が図５に示すギフトカードとして行われることであり、その他の構成要素に関しては第一実施形態と同一である。
【００５９】
このギフトカードは、図５に示すように本実施形態においては誕生日プレゼントとして贈られるものであって、誕生日用のデザインとなっており、誕生日用イラスト２１と送り主から受取人へのメッセージ２２が記載されている。
そして、ギフトカードには金額コードが記載されている。この金額コードをスクラッチ箔で覆い、コイン等でスクラッチ箔を削ったときに金額コードが表れるようにしてもよい。
【００６０】
次に、本実施形態に係るサーバ１０の制御部１１が行う制御について、図６に示すフローチャートを参照して説明する。
Ｓ１０１からＳ１０３までは第一実施形態における制御と同一である。
【００６１】
Ｓ１０３の後（Ｓ１０３と同時であってもよい）、送り主の端末１でギフトカード２０の外観（おもて面及び裏面）のデザインを指定すると、制御部１１は、そのデザインのデータを送り主の端末１から取得し記憶部１２に記憶させる（Ｓ１１２）。
この外観のデザインには、誕生日用やゴルフコンペでの景品用というように目的別のイラスト２１、送り主が指定する写真、後で手書きメッセージ２２を記入するための空白、印字済みのメッセージ２２等が含まれる。そして、ギフトカード２０は一枚ずつ異なる外観デザインとすることもできる。
また、ギフトカード２０はおもて面が受取人の住所及び氏名を記入できるポストカード形式であって、郵送可能となっている。
【００６２】
次に、制御部１１は、贈答金額に関連付けられるとともに贈答金額を秘匿して直接表示しない金額コードを発行し、送り主の端末１から取得した外観デザイン及び金額コードが記載されたギフトカード２０を作成させる（Ｓ１１３）。
【００６３】
そして、出来上がったポストカードであるギフトカード２０を送り主が受け取ると、送り主はメッセージを手書きする等した後にギフトカード２０を郵送する。もちろん、送り主から受取人にギフトカード２０を手渡ししてもよい。
受取人がギフトカード２０、つまり金額コードを受け取った後にサーバ１０の制御部１１が行うＳ１０５以降の制御は第一実施形態と同一である。
【００６４】
以上のように制御されたインターネットショッピングシステム及びそれに使用されるギフトカードによれば、贈答金額がいくらであるかを受取人に知られずに済むだけでなく、ギフトカードとして贈るので、インターネットショッピングシステムであっても送り主が受取人と直接やりとりでき、心のこもった贈り物となる。
しかも、ギフトカード２０の外観が、送り主に指定されたメッセージ２２等を含むデザインであるので、送り主の気持ちをさらに伝えることができる。
【００６５】
（第四実施形態）
次に図７及び８を参照して、本発明の第四実施形態に係るインターネットショッピングシステム及びそれに使用されるギフトカードを説明する。なお、第三実施形態と同一部分には同一符号を付した。
本実施形態では、第三実施形態と同様に金額コードが記載されたギフトカード２０がやりとりされるが、第三実施形態ではギフトカード２０がオンデマンドで個別に作成されたところ、本実施形態ではギフトカード２０は現実の店舗（スーパー、デパート、コンビニ、金券ショップ等）において既製品として販売され、そのギフトカード２０が手渡しや郵送によって受取人の元に届くものである。
【００６６】
これに伴い、本実施形態に係るインターネットショッピングシステムの通信構成としては、図７に示すように、送り主の端末はそのシステム上不要である。
【００６７】
次に、本実施形態に係るサーバ１０の制御部１１が行う制御について、図８に示すフローチャートを参照して説明する。
まず、Ｓ１０１とＳ１０２は第三実施形態における制御と同一である。
そして、Ｓ１０２の後は受取人の端末３からギフトカード２０に記載された金額コードの入力がなされるのを待つ（Ｓ１０５）。つまり、制御部１１が金額コード入力を受け付ける準備はＳ１０２で完結して、送り主が現実の店舗で購入し金額コードが記載された既製品のギフトカード２０が受取人の手元に届いて以降（Ｓ１０５以降）の制御は、第一実施形態や第三実施形態の制御と同一である。
【００６８】
以上のように制御されたインターネットショッピングシステム及びそれに使用されるギフトカード２０によれば、現実の店舗において既製品として販売されるギフトカード２０を受取人に送った場合であっても、ギフトカード２０に記載されている金額コードを入力することで、贈答金額がいくらであるかを受取人に知られずに済む。
また、そのギフトカードは現実の店舗で既製品として販売されているので、パソコンの操作が苦手な送り主であっても気軽にこのインターネットショッピングシステムを利用することができる。
【００６９】
なお、第一、第二実施形態において、選択された商品の発送はショッピングサイトの運営者が行うとしたが、これに限られるものではない。つまり、サーバ１０の制御部１１は発注情報を、選択された商品を出品している出品者の端末３、又はその商品の在庫管理をしている在庫管理者の端末に送信するようにして、出品者や在庫管理者が商品発送を行ってもよい。
これにより、運営者が商品の発送を行わなくて済み、また運営者が商品の在庫を抱えずに済む。また、商品を出品者や在庫管理者から直接受取人に発送することができるので、受取人が商品を選択してから商品を実際に受け取るまでの日数が短縮される。
【００７０】
また、贈答品の送り主が事前にショッピングサイトの運営者に所定の金額を支払っておくとしたが、これに限られるものではなく、課金のタイミングはいつであってもよい。
例えば、サーバ１０において金額コードを発行したにもかかわらず、受取人がショッピングサイト上で期限内にその金額コードを入力しなかった（商品を選択しなかった）場合には、受取人にはその金額コードに係る料金が課金されない、又は返金されるようにしてもよい。
【００７１】
また、第三実施形態において、ギフトカード２０のデザインを指定したが、運営者がギフトカード２０のデザインを一律に決めておき、送り主がギフトカード２０のデザインを指定できなくてもよい。
【００７２】
また、第三、第四実施形態において、ギフトカード２０を送り主から受取人に郵送や手渡ししたが、これに限られるものではなく、ギフトカード２０を送り主が入手した後、それに記載されている金額コードを送り主の端末１から受取人の端末２へ電子メールで送信してもよい。
さらに、金額コードが記載されたギフトカード２０はポストカード形式であるとしたが、これに限られるものではなく、通常の商品券のようにそれ単独で郵送できなくてもよい。
【００７３】
また、第一乃至第三実施形態において、電子メール又はギフトカード２０によって金額コードの発行が送り主へなされたが、これに限られるものではなく、電子メール又はギフトカード２０がショッピングサイトの運営者から直接受取人に送られてもよい。
【００７４】
また、ギフトカード２０には金額コードを表示するだけでなく、図９に示すようにＮＦＣタグ２３を埋め込んでいてもよい。このＮＦＣタグ２３によって、その金額コードを入力するためのホームページを受取人の端末２で表示させることができる。
これにより、受取人の端末２が、例えばスマートフォンであって、ＮＦＣタグリーダーの機能を有していれば、金額コードの入力に手間が掛からない。
なお、ＮＦＣタグ２３の代わりに、例えば二次元バーコードとすることもできるが、ＮＦＣタグ２３の場合はカメラやアプリを起動させることなくかざすだけでブラウザが立ち上がるので、ＮＦＣタグ２３のほうが便利である。
また、このような受取人の端末２における金額コードの入力を補助するための情報が埋め込まれるものは、二次元バーコードやＮＦＣタグ２３に限られず、他の識別子であってもよい。
【００７５】
さらに、図１０に示すようにギフトカード２０には金額コードを記載することなく（金額コードをスクラッチ箔で隠すことを含む）、ＮＦＣタグ２３を埋め込んでいてもよい。この場合のＮＦＣタグ２３は、受取人の端末２では金額コードを表示することなく、受取人の端末２に金額コードの情報をサーバ１０へ送信させるものである。
これにより、受取人の端末２がＮＦＣタグリーダーの機能を有していれば、ＮＦＣタグ２３を読み取らせるだけで金額コードに対応した価格の商品が抽出され、商品情報が受取人の端末２で表示される。よって、受取人の手間は非常に少ない。
【００７６】
図９や図１０のようなＮＦＣタグ２３が埋め込まれたギフトカード２０は、第三実施形態で示したオンデマンドタイプとしてもよいし、第四実施形態で示した現実の店舗において既製品として販売するものであってもよい。
【符号の説明】
【００７７】
１      送り主の端末
２      受取人の端末
３      出品者の端末
１０      サーバ
１１      制御部（出品受付手段、贈答金額取得手段、金額コード発行手段、商品表示手段、商品選択受付手段、受取人情報取得手段、発注情報保持手段、金額コード無効手段、商品発送手段）
１２      記憶部（発注情報保持手段）
１３      出力部
１４      入力部
２０      ギフトカード
２１      イラスト
２２      メッセージ
２３      ＮＦＣタグ
１００      ネットワーク（インターネット）
【図１】
2014139769.tif 000003
【図２】
2014139769.tif 000004
【図３】
2014139769.tif 000005
【図４】
2014139769.tif 000006
【図５】
2014139769.tif 000007
【図６】
2014139769.tif 000008
【図７】
2014139769.tif 000009
【図８】
2014139769.tif 000010
【図９】
2014139769.tif 000011
【図１０】
2014139769.tif 000012